(57)【特許請求の範囲】
【請求項１】
下面に吸込口を有する吸込具本体と、該吸込具本体内に形成される回転ブラシ収納室と、前記吸込口に臨ませた状態で回転ブラシ収納室に回転自在に収納され、外周にブレードを配設した回転ブラシとを備え、前記吸込具本体前面に、前記回転ブラシのブレードに向かって外気を案内する案内口を形成すると共に、該案内口からブレードに向かう外気を遮断する閉塞体を設け、該閉塞体は、回転ブラシ収納室内の圧力低下に伴って変形して案内口を介して吸引される外気をブレードに衝突させて回転ブラシを回転させることを特徴とする床用吸込具。
【請求項２】
下面に吸込口を有する吸込具本体と、該吸込具本体内に形成される回転ブラシ収納室と、前記吸込口に臨ませた状態で回転ブラシ収納室に回転自在に収納され、外周にブラシ体を配設した回転ブラシとを備え、前記吸込具本体前面に、前記回転ブラシのブラシ体に向かって外気を案内する案内口を形成すると共に、該案内口からブラシ体に向かう外気を遮断する閉塞体を設け、該閉塞体は、回転ブラシ収納室内の圧力低下に伴って変形して案内口を介して吸引される外気をブラシ体に衝突させて回転ブラシを回転させることを特徴とする床用吸込具。
【請求項３】
下面に吸込口を有する吸込具本体と、該吸込具本体内に形成される回転ブラシ収納室と、前記吸込口に臨ませた状態で回転ブラシ収納室に回転自在に収納され、外周にブレードを配設した回転ブラシとを備え、前記吸込具本体前面に、前記回転ブラシのブレードに向かって外気を案内する案内口を形成すると共に、該案内口を閉塞する閉塞体を設け、該閉塞体は、回転ブラシ収納室内の圧力低下に伴って変形して外気をブレードに衝突させて回転ブラシを回転させることを特徴とする床用吸込具。
【請求項４】
下面に吸込口を有する吸込具本体と、該吸込具本体内に形成される回転ブラシ収納室と、前記吸込口に臨ませた状態で回転ブラシ収納室に回転自在に収納され、外周にブラシ体を配設した回転ブラシとを備え、前記吸込具本体前面に、前記回転ブラシのブラシ体に向かって外気を案内する案内口を形成すると共に、該案内口を閉塞する閉塞体を設け、該閉塞体は、回転ブラシ収納室内の圧力低下に伴って変形して外気をブラシ体に衝突させて回転ブラシを回転させることを特徴とする床用吸込具。
【発明の詳細な説明】
【０００１】
【発明の属する技術分野】
本発明は、電気掃除機に接続して使用される床用吸込具の改良に関する。
【０００２】
【従来の技術】
従来、この種床用吸込具として、吸込具本体に回転ブラシを回転自在に枢支し、回転ブラシを電動機あるいはタービンによって回転駆動するものが知られている。回転ブラシを電動機により回転駆動するものにおいては、電動機の重量が重く、掃除操作時の取扱性が悪いと共に、部品点数が増大し、組立作業性が悪く、高価になる等の欠点があった。
【０００３】
また、回転ブラシをタービンによって回転駆動するものにおいては、タービンは、吸込口から掃除機本体への吸込通路に形成されたタービン室に配設され、塵埃と共に吸引された空気により回転する構成となっているため、長期使用によって、タービン内に塵埃が詰まり、タービンが良好に回転しなくなる問題があった。
【０００４】
そこで、上記欠点を解決するために、特開平9-28630号公報(A47L  9/04)等にて回転ブラシの両端にタービンを配設し、タービンに外部の清浄な空気を供給してタービンを回転させ、その空気を吸込口から吸気した空気と共に電気掃除機に吸引するものが提案された。
【０００５】
しかしながら、この構成においては、回転ブラシの両側にタービンを配設するため、部品点数が増大すると共に、塵埃吸引特性の低下を抑制するために少ない外気によりタービンを効率よく回転させる必要があり、タービン形状が複雑化する問題がある。また、タービン収納室の下面には吸気口を形成することができず、吸込具本体の横幅に対して吸込口が小さくなり、塵埃等の吸い残しが生じる欠点があった。
【０００６】
【発明が解決しようとする課題】
本発明は、上記欠点に鑑みなされたもので、簡単な構成で効率よく回転ブラシを駆動し得る床用吸込具を提供することを課題とする。
【０００７】
【課題を解決するための手段】
本発明の第１の手段は、下面に吸込口を有する吸込具本体と、該吸込具本体内に形成される回転ブラシ収納室と、前記吸込口に臨ませた状態で回転ブラシ収納室に回転自在に収納され、外周にブレードを配設した回転ブラシとを備え、前記吸込具本体前面に、前記回転ブラシのブレードに向かって外気を案内する案内口を形成すると共に、該案内口からブレードに向かう外気を遮断する閉塞体を設け、該閉塞体は、回転ブラシ収納室内の圧力低下に伴って変形して案内口を介して吸引される外気をブレードに衝突させて回転ブラシを回転させることを特徴とする。
【０００８】
本発明の第２の手段は、下面に吸込口を有する吸込具本体と、該吸込具本体内に形成される回転ブラシ収納室と、前記吸込口に臨ませた状態で回転ブラシ収納室に回転自在に収納され、外周にブラシ体を配設した回転ブラシとを備え、前記吸込具本体前面に、前記回転ブラシのブラシ体に向かって外気を案内する案内口を形成すると共に、該案内口からブラシ体に向かう外気を遮断する閉塞体を設け、該閉塞体は、回転ブラシ収納室内の圧力低下に伴って変形して案内口を介して吸引される外気をブラシ体に衝突させて回転ブラシを回転させることを特徴とする。
【０００９】
本発明の第３の手段は、下面に吸込口を有する吸込具本体と、該吸込具本体内に形成される回転ブラシ収納室と、前記吸込口に臨ませた状態で回転ブラシ収納室に回転自在に収納され、外周にブレードを配設した回転ブラシとを備え、前記吸込具本体前面に、前記回転ブラシのブレードに向かって外気を案内する案内口を形成すると共に、該案内口を閉塞する閉塞体を設け、該閉塞体は、回転ブラシ収納室内の圧力低下に伴って変形して外気をブレードに衝突させて回転ブラシを回転させることを特徴とする。
【００１０】
本発明の第４の手段は、下面に吸込口を有する吸込具本体と、該吸込具本体内に形成される回転ブラシ収納室と、前記吸込口に臨ませた状態で回転ブラシ収納室に回転自在に収納され、外周にブラシ体を配設した回転ブラシとを備え、前記吸込具本体前面に、前記回転ブラシのブラシ体に向かって外気を案内する案内口を形成すると共に、該案内口を閉塞する閉塞体を設け、該閉塞体は、回転ブラシ収納室内の圧力低下に伴って変形して外気をブラシ体に衝突させて回転ブラシを回転させることを特徴とする。
【００１５】
【発明の実施の形態】
本発明の実施の形態を図１乃至図８に基づいて以下に詳述する。
【００１６】
１は吸込具本体で、上ケース２、下ケース３、前記上ケース２の上面の一部を覆うカバー体４、上下ケース２、３の間に上下方向に揺動自在に軸支される回動管５、該回動管５に回転自在に支持される継手管６から構成されている。
【００１７】
７は前記吸込具本体１下面に形成される吸込口、８は前記吸込具本体１内に形成される回転ブラシ収納室で、後述する回転ブラシ＊が回転自在に支持されており、回転ブラシ収納室８は回転ブラシ＊の回転軌跡にほぼ沿う円弧状に形成されている。
【００１８】
９は前記吸込具本体１の両側に配設される端板で、車輪10を回転自在に支持する軸支部11が形成されており、前記車輪10により吸込口７と被掃除面との間に所定の間隔を形成している。12は前記端板９に固着される支持板である。
【００１９】
13は前記吸込口７に臨ませた状態で支持板12に回転自在に支持されて回転ブラシ収納室８内に配設される回転ブラシで、該回転ブラシ13は、芯体14と、芯体14に形成された螺旋状の溝15に基部16を挿入して装着される一対のブラシ体17と、前記芯体14の螺旋状の溝15に基部20を挿入して装着される一対のブレード18とから構成されている。
【００２０】
前記ブレード18は、布状体19と、布状体19の端部にモールドされた合成樹脂にて構成される基部20と、布状体19の端部に縫いつけられた刷毛状体21とから構成されており、布状体19に基部20を構成することにより布状体19の端部が波打つように変形し、更に刷毛状体21を縫いつけることにより布状体19が引きつったようになって湾曲する。このブレード18を、回転ブラシ13の回転方向に対して後方側に湾曲するように芯体14に装着している。
【００２１】
前記ブレード18は、回転ブラシ13の回転停止状態においては、図３に示すごとく、回転ブラシ13の回転方向に対して後方側に湾曲しているが、回転ブラシ13が高速回転すると、回転に伴う遠心力によって図４に示すごとく、起立状態となるようになっており、起立状態における回転軌跡の径を、ブラシ体17の回転軌跡の径より径大に形成している。また、回転ブラシ13の停止状態においては、吸込具本体１を床面に載置しても、ブラシ体17及びブレード18が床面に接触しないようになっている。
【００２２】
22は前記上ケース２の幅方向に形成された案内口、23は前記カバー体４に形成された吸気口、24は前記吸気口23を閉塞する閉塞体で、絨毯等の被掃除面を掃除する場合などに、被掃除面によって吸込口７が閉塞された際、回転ブラシ収納室８内の圧力が低下するのに伴って回転ブラシ収納室８側に変形し、吸気口23から吸引した外気を案内口22を介して回転ブラシ13のブラシ体17及びブレード18に外気を衝突させるようになっている。
【００２３】
25は前記吸込具本体１の吸込口７の前後に配設されるサクションキーパーで、軟質ゴム等の可撓性を有する材料にて形成されており、サクションキーパー25によって深部吸込性能を向上させている。26は前記吸込具本体１の後部に回動自在に支持される後車輪である。
【００２４】
而して、掃除機本体に可撓性ホース及び延長管を介して継手管６を接続し、掃除機本体の電動送風機を駆動すると、吸込口７から空気が吸引される。吸込具本体１を被掃除面から持ち上げた状態では、吸込口７からの吸込抵抗が小さいため、吸込口７からほとんどの空気が吸い込まれる。この状態では吸込口７が大きく開口しているため、吸込口７から吸引される空気の流速は比較的遅く、従って、回転ブラシ13はほとんど回転することはない。
【００２５】
フローリングなどの床面や畳等を掃除する際には、被掃除面と吸込口７との間が比較的広いため、吸込口７からの吸込抵抗が小さく、回転ブラシ収納室８内の圧力が大きく負圧になることはない。従って、吸気口23に配設した閉塞体24が変形して吸気口23を開放することはない。この状態では、吸込口７と被掃除面との間から吸引される空気は流速が早いため、吸込口７から吸引された空気が回転ブラシ13のブラシ体17及びブレード18に衝突して回転ブラシ13を図１中反時計方向に回転駆動する。
【００２６】
ブレード18は、回転ブラシ13の停止状態や、低速回転状態において、回転ブラシ13の回転方向に対して後方側に湾曲しているので、吸込口７から吸引される空気を受けやすく、回転ブラシ13を効率よく回転させる。
【００２７】
回転ブラシ13が高速回転すると、ブレード18が遠心力によって起立し、このブレード18の起立状態においては、ブレード18が床面や畳に接触し、磨き掃除を行う。ブレード18は撓みやすい布状体19を用いているので、床面や畳に接触しても床面や畳を傷つけることはない。
【００２８】
絨毯等の被掃除面を掃除する際には、吸込口７が被掃除面により覆われ、吸込口７からの吸気抵抗が増大し、回転ブラシ収納室８内の圧力が低下して、閉塞体24が回転ブラシ収納室８側に向かって変形し、吸気口23及び案内口22を介して吸気された外気がブラシ体17及びブレード18に衝突して回転ブラシ13を回転駆動する。また、吸気口23及び案内口22を介して外気を吸引することにより吸込具本体１が被掃除面に吸い付くのを抑制し、吸込具本体１の移動性を向上することができる。
【００２９】
絨毯等の掃除時においては、被掃除面が抵抗となって回転ブラシ13の回転数が低下するが、回転ブラシ13の回転が低下してくると、ブレード18は遠心力の低下に伴い次第に停止時の形状に復元するように回転方向に対して後方側に湾曲し、被掃除面との接触抵抗が低下して回転ブラシ13の回転数が上昇する。この動作を繰り返すことにより回転ブラシ13の回転数がほぼ一定に維持される。
【００３０】
ブレード18は、布状体19に刷毛状体21を縫いつけて構成されているため、ブレード18を撓みやすく構成することができると共に、刷毛状体21をおもりとして遠心力によりブレード18を起立しやすくすることができ、回転ブラシ13のわずかな回転数変動によってもブレード18を起立、湾曲させることができ、回転ブラシ13の回転数をほぼ一定に維持することができる。
【００３１】
次に、図９及び図１０に基づいて本発明の第２の実施の形態を詳述する。尚、上記第１の実施の形態と同一部品は同一符号を付して説明を省略する。
【００３２】
27は上ケース２とカバー体４との間に配設されるシャッターで、一体的に形成した操作部28をカバー体４に形成した透孔29を介して吸込具本体１外部に突出させており、シャッター27は、使用者が操作部28を操作することにより後述する第１位置と第２位置に移動するようになっている。
【００３３】
30は前記シャッター27に形成された連通口で、シャッター27を図９に示す第１位置に移動させた際に案内口22に連通し、シャッター＊を図１０に示す第２位置に移動させた際にシャッター27が案内口22を閉塞して案内口22と連通口30とが連通しないようになっている。
【００３４】
本発明の第２の実施の形態においては、フローリングや畳等を掃除する際には、使用者は、シャッター27の操作部28を操作してシャッター27を図１０に示す第２位置に移動する。第２位置においては、シャッター27は、案内口22を閉塞しているため、吸込口７のみから吸気する。この状態では、吸込口７から吸引される空気が回転ブラシ13のブラシ体17及びブレード18に衝突して回転ブラシを回転駆動する。案内口22がシャッター27により閉塞され、吸込口７から飲み吸引されるので、吸込口７からの吸引力が増大し、深部吸込口率が向上する。
【００３５】
絨毯等を掃除する際には、シャッター27の操作部28を操作してシャッター27を図９に示す第１位置に移動する。この第１位置においては、シャッター27の連通口30が案内口22に連通しており、被掃除面が吸込口７を閉塞して吸込口７からの吸引抵抗が増大するため、吸気口23、連通口30及び案内口22を介して外気が回転ブラシ収納室８に吸引され、外気が回転ブラシ８のブラシ体17及びブレード18に衝突して回転ブラシ13を回転駆動する。
【００３６】
尚、上記第１、第２の実施の形態では、いずれも案内口22及び吸気口23を吸込具本体１の幅方向に横長状に形成したが、この構成においては、吸込具本体１の強度が低下し、特に絨毯等の掃除時、案内口22周縁が回転ブラシ収納室８側に変形して回転ブラシ13のブラシ体17やブレード18に接触し、回転ブラシ13の回転力低下が生じるおそれがあるため、案内口を複数個に分割して形成することが好ましい。
【００３７】
次に、図１１及び図１２に基づいて本発明の第３の実施の形態を詳述する。尚、第１の実施の形態と同一部品は同一符号を付して説明を省略する。
【００３８】
31は吸込具本体で、上ケース32、下ケース33、前記上ケース32及び下ケース33に係脱自在に係合して装着される蓋体34と、上下ケース32、33間に回動自在に支持される回動管35と、回動管35に回動自在に装着される継手管36とから構成されている。
【００３９】
37は前記上ケース32及び蓋体34と下ケース33との間に挟持固定されるバンパーで、軟質ゴム等の可撓性を有する材料にて形成されている。38は前記吸込具本体31の下面に形成した吸込口、39は前記吸込具本体31内に形成される回転ブラシ収納室で、上記第１の実施の形態と同様の回転ブラシ13を吸込口38に臨ませた状態で回転自在に収納している。
【００４０】
40は前記吸込具本体31の吸込口38より前方の底面を他の底面部分より上方に位置させることによって吸込具本体31前方下部に形成した案内口で、吸込口38に連通している。41は前記パンパー37に一体に垂下形成された閉塞体で、前記案内口40を閉塞している。
【００４１】
而して、本発明の第３の実施の形態によれば、掃除機本体に可撓性ホース及び延長管を介して継手管36を接続し、掃除機本体の電動送風機を駆動すると、吸込口38から空気が吸引される。吸込具本体31を被掃除面から持ち上げた状態では、吸込口38からの吸込抵抗が小さいため、吸込口38からほとんどの空気が吸い込まれる。この状態では吸込口38が大きく開口しているため、吸込口38から吸引される空気の流速は比較的遅く、従って、回転ブラシ13はほとんど回転することはない。
【００４２】
フローリングなどの床面や畳等を掃除する際には、被掃除面と吸込口38との間が比較的広いため、吸込口38からの吸込抵抗が小さく、回転ブラシ収納室39内の圧力が大きく負圧になることはない。従って、案内口40を閉塞する閉塞体41が変形して案内口40を開放することはない。この状態では、吸込口38と被掃除面との間から吸引される空気は流速が早いため、吸込口38から吸引された空気がが回転ブラシ13のブラシ体17及びブレード18に衝突して回転ブラシ13を図１１中反時計方向に回転駆動する。
【００４３】
絨毯等の被掃除面を掃除する際には、吸込口38が被掃除面により覆われ、吸込口38からの吸気抵抗が増大し、回転ブラシ収納室39内の圧力が低下して、図１２に示す如く、閉塞体41が吸込口38側に向かって変形し、案内口40を介して吸気された外気がブラシ体17及びブレード18に衝突して回転ブラシ13を回転駆動する。案内口40から吸引された外気は、回動管35に向かって吸引される過程でブラシ体17及びブレード18に衝突するので、ブラシ体17及びブレード18への衝突力が強く、回転ブラシ13を効率よく回転させる。また、案内口40を介して外気を吸引することにより吸込具本体31が被掃除面に吸い付くのを抑制し、吸込具本体31の移動性を向上することができる。
【００４４】
また、上記各実施の形態においては、ブレード18を、布状体19、基部20及び刷毛状体21から構成したが、軟質ゴム等の柔らかい材料に一体に形成しても良い。
【００４５】
次に、図１３に基づいて、本発明の他の実施の形態の回転ブラシ42を詳述すると、回転ブラシ42は、芯体43と、芯体43の螺旋状の溝44に基部45を挿入して装着される一対のブラシ体46と、芯体43の螺旋状の溝44に基部を挿入して装着される上述の実施の形態と同様の一対のブレード47とから構成され、前記ブレード45は上述の実施の形態と同様の構成とし、布状体48を矯正することにより湾曲しないようにしている。
【００４６】
前記ブラシ体46は、比較的堅い布状の基台45を、芯49を挟み込ませて折り畳んで接着剤等により固定し、その固定した部分を芯体43の溝44に挿入して装着されており、基台45の遊端側に植設されたブラシ体46は回転ブラシ42の回転方向に対して後方側に傾斜している。
【００４７】
本実施の形態の回転ブラシ42においては、ブラシ体46が上述した実施の形態のブレード18と同様に回転変動に応じて起立、傾斜し、回転ブラシ42の回転数をほぼ一定に維持することができる。
【００４８】
また、ブラシ体を上記実施の形態と同様に湾曲させて形成しても良く、ブレードを傾斜させて装着しても良い。さらに、ブラシ体とブレードの両方を湾曲又は傾斜させて装着しても良い。
【００４９】
【発明の効果】
以上の如く、本発明の請求項１の構成によれば、回転ブラシを駆動するためのタービンを設けることなく、回転ブラシのブレードに吸込口及び案内口から外気を導くことにより、回転ブラシを効率よく回転駆動することができると共に、案内口からの外気をブレードに導くことにより絨毯等の掃除時においても効率よく回転ブラシを回転駆動することができる。また、案内口は吸込具本体の前部に形成されているため、案内口から吸引された外気は電気掃除機に接続される継手管側に向かって直線的に流れ、ブレードに衝突して極めて効率よく回転ブラシを回転駆動することができる。さらに、回転ブラシ収納室の圧力低下が小さいフローリング等を掃除する際には、閉塞体が案内口を閉塞し、深部吸込効率を向上することができる等の効果を奏する。
【００５０】
本発明の請求項２の構成によれば、回転ブラシを駆動するためのタービンを設けることなく、回転ブラシのブラシ体に吸込口及び案内口から外気を導くことにより、回転ブラシを効率よく回転駆動することができると共に、案内口からの外気をブラシ体に導くことにより絨毯等の掃除時においても効率よく回転ブラシを回転駆動することができる。また、案内口は吸込具本体の前部に形成されているため、案内口から吸引された外気は電気掃除機に接続される継手管側に向かって直線的に流れ、ブラシ体に衝突して極めて効率よく回転ブラシを回転駆動することができる。さらに、回転ブラシ収納室の圧力低下が小さいフローリング等を掃除する際には、閉塞体が案内口を閉塞し、深部吸込効率を向上することができる等の効果を奏する。
【００５１】
本発明の請求項３の構成によれば、回転ブラシを駆動するためのタービンを設けることなく、回転ブラシのブレードに吸込口及び案内口から外気を導くことにより、回転ブラシを効率よく回転駆動することができると共に、案内口からの外気をブレードに導くことにより絨毯等の掃除時においても効率よく回転ブラシを回転駆動することができる。また、案内口は吸込具本体の前部に形成されているため、案内口から吸引された外気は電気掃除機に接続される継手管側に向かって直線的に流れ、ブレードに衝突して極めて効率よく回転ブラシを回転駆動することができる。さらに、回転ブラシ収納室の圧力低下が小さいフローリング等を掃除する際には、閉塞体が案内口を閉塞し、深部吸込効率を向上することができる等の効果を奏する。
【００５２】
本発明の請求項４の構成によれば、回転ブラシを駆動するためのタービンを設けることなく、回転ブラシのブラシ体に吸込口及び案内口から外気を導くことにより、回転ブラシを効率よく回転駆動することができると共に、案内口からの外気をブラシ体に導くことにより絨毯等の掃除時においても効率よく回転ブラシを回転駆動することができる。また、案内口は吸込具本体の前部に形成されているため、案内口から吸引された外気は電気掃除機に接続される継手管側に向かって直線的に流れ、ブラシ体に衝突して極めて効率よく回転ブラシを回転駆動することができる。さらに、回転ブラシ収納室の圧力低下が小さいフローリング等を掃除する際には、閉塞体が案内口を閉塞し、深部吸込効率を向上することができる等の効果を奏する。
【図面の簡単な説明】
【図１】本発明の第１の実施の形態を示す断面図である。
【図２】同要部拡大断面図である。
【図３】同回転停止状態を示す回転ブラシの断面図である。
【図４】同回転状態を示す回転ブラシの断面図である。
【図５】同床用吸込具の他の方向から見た断面図である。
【図６】同上面図である。
【図７】同正面図である。
【図８】同底面図である。
【図９】本発明の第２の実施の形態を示す断面図である。
【図１０】同断面図である。
【図１１】本発明の第３の実施の形態を示す断面図である。
【図１２】同断面図である。
【図１３】本発明の他の実施の形態を示す回転ブラシの断面図である。
【符号の説明】
１            吸込具本体
７            吸込口
８            回転ブラシ収納室
13            回転ブラシ
17            ブラシ体
18            ブレード
22            案内口
23            吸気口
24            閉塞体
27            シャッター
30            連通口
31            吸込具本体
38            吸込口
39            回転ブラシ収納室
40            案内口
41            閉塞体
【図１】
0003819559.tif 000002
【図２】
0003819559.tif 000003
【図３】
0003819559.tif 000004
【図４】
0003819559.tif 000005
【図５】
0003819559.tif 000006
【図６】
0003819559.tif 000007
【図７】
0003819559.tif 000008
【図８】
0003819559.tif 000009
【図９】
0003819559.tif 000010
【図１０】
0003819559.tif 000011
【図１１】
0003819559.tif 000012
【図１２】
0003819559.tif 000013
【図１３】
0003819559.tif 000014